(57)【要約】【課題】現金管理装置から紙幣が収納された紙幣金庫だけを回収し、硬貨の回収を不要にして現金の回収効率を向上させる。【解決手段】保管基準額の硬貨および保管基準額を超えた硬貨を硬貨釣銭収納庫３５に収納し、保管基準額の紙幣を釣銭準備金として紙幣釣銭収納庫２４に収納し、保管基準額を超えた紙幣を収納するとともに保管基準額を超えて前記硬貨釣銭収納庫に収納された硬貨に相当する金額を超えない金額を紙幣に換え、その紙幣を紙幣金庫２５に収納し、紙幣に換えることができなかった金額を繰越金として算出し、売上金から繰越金を除いた紙幣を紙幣金庫２５に収納し、その紙幣を回収するようにした。【選択図】        図１
2008287552.tif 000002
【特許請求の範囲】
【請求項１】
現金投入口から投入された紙幣および硬貨の現金を計数し、予め設定された釣銭金種毎の保管基準額の現金を釣銭準備金、保管基準額を超えた現金を売上金として収納する現金管理装置において、
保管基準額の硬貨および保管基準額を超えた硬貨を収納する硬貨釣銭収納庫と、
保管基準額の紙幣を釣銭準備金として収納する紙幣釣銭収納庫と、
保管基準額を超えた紙幣を収納するとともに保管基準額を超えて前記硬貨釣銭収納庫に収納された硬貨に相当する金額を超えない金額を紙幣に換え、その紙幣を収納する紙幣金庫と、
前記紙幣に換えることができなかった金額を繰越金として算出し、記憶部に記憶させる繰越金算出手段とを設け、
売上金から前記繰越金算出手段が算出した繰越金を除いた紙幣を前記紙幣金庫に収納し、その紙幣を回収できるようにしたことを特徴とする現金管理装置。
【請求項２】
請求項１の現金管理装置において、
前記繰越金算出手段が算出した繰越金を累計して記憶部に記憶させる繰越金累計手段を設け、
前記繰越金累計手段が累計した繰越金に相当する金額を超えない金額を紙幣に換え、その紙幣を紙幣金庫に収納するようにしたことを特徴とする現金管理装置。
【請求項３】
請求項１または請求項２の現金管理装置において、
売上金の金額から前記繰越金累計手段が算出した繰越金を減算して締め処理後の売上高を算出する締め処理後売上高算出手段を設けたことを特徴とする現金管理装置。
【請求項４】
請求項１、請求項２または請求項３の現金管理装置において、
上位装置から動作指示を受信する通信手段を設け、
前記通信手段が、上位装置からの動作指示を受信して紙幣を前記紙幣金庫へ収納するようにしたことを特徴とする現金管理装置。
【請求項５】
店舗に設置され、現金投入口から投入された紙幣および硬貨の現金を計数し、予め設定された釣銭金種毎の保管基準額の現金を釣銭準備金、保管基準額を超えた現金を売上金として収納する現金管理装置と、センタに設置され、前記現金管理装置と通信可能に接続された中央情報処理装置とを備えた現金管理システムにおいて、
保管基準額の硬貨および保管基準額を超えた硬貨を硬貨釣銭収納庫に収納し、保管基準額の紙幣を釣銭準備金として紙幣釣銭収納庫に収納し、保管基準額を超えた紙幣を収納するとともに保管基準額を超えて前記硬貨釣銭収納庫に収納された硬貨に相当する金額を超えない金額を紙幣に換え、その紙幣を紙幣金庫に収納し、前記紙幣に換えることができなかった金額を繰越金として算出し、該繰越金の金額を中央情報処理装置へ送信する現金管理装置を設け、
中央情報処理装置が、前記現金管理装置から受信した繰越金の金額を立替払いして売上金を売上金口座に振込むようにしたことを特徴とする現金管理システム。
【発明の詳細な説明】
【技術分野】
【０００１】
本発明は、百貨店やスーパーマーケット、コンビニエンスストア等の小売業の店舗に設置され、レジスタに収納された売上金等を管理する現金管理装置および現金管理システムに関する。
【背景技術】
【０００２】
従来の現金管理装置および現金管理システムは、粗利益を収納するための粗利益収納部と店内運用金としての釣銭準備金を収納するための運用金収納部を備え、店舗の売上金の投入を受付け、粗利益に相当する現金を粗利益収納部へ収納し、それ以外の現金を運用金収納部へ収納するようにして警備会社の係員等が釣銭準備金の持参を不要にしている（例えば、特許文献１参照）。
【０００３】
また、釣銭準備金を収納するための釣銭収納庫と売上金を収納するための売上金収納庫を備え、店舗のレジスタから回収した現金の投入を受付け、予め釣銭収納庫に設定された保管基準額の現金を釣銭収納庫に収納し、その保管基準額を超えた現金を売上金収納部へ収納して警備会社の係員等が釣銭準備金の持参を不要にしているものもある（例えば、特許文献２参照）。
【０００４】
さらに、硬貨等の低額の金種の現金を優先的に釣銭収納庫へ収納し、売上金収納庫へは紙幣等の高額の金種の現金を優先的に収納させるようにしているものもある（例えば、特許文献３参照）。
【特許文献１】特開２００４−５４４５６号公報（段落「００２９」〜段落「００３４」、図６）
【特許文献２】特開２００５−３８０６２号公報（段落「００３９」〜段落「００５２」、図５）
【特許文献３】特開２００２−７４４６７号公報（４頁、図２）
【発明の開示】
【発明が解決しようとする課題】
【０００５】
しかしながら、上述した従来の技術においては、売上金等の紙幣や硬貨の現金を収納した売上金収納庫を警備会社の係員等が回収し、積載できる売上金収納庫の数量や容量に限界がある集配車で管理センタ等へ運搬するようにしているが、紙幣と硬貨はそれぞれ別の売上金収納庫に収納され、特に紙幣を優先的に売上金収納庫に収納する場合、売上金として収納された硬貨が少ない売上金収納庫であっても回収する必要があり、回収効率が低くなるという問題がある。
【０００６】
また、回収した売上金収納庫に収納された紙幣および硬貨は管理センタ等で計数する必要があるが、係員に紙幣および硬貨の両方を計数する作業が発生し、作業負担がかかるという問題がある。
本発明は、このような問題を解決することを課題とする。
【課題を解決するための手段】
【０００７】
そのため、本発明は、現金投入口から投入された紙幣および硬貨の現金を計数し、予め設定された釣銭金種毎の保管基準額の現金を釣銭準備金、保管基準額を超えた現金を売上金として収納する現金管理装置において、保管基準額の硬貨および保管基準額を超えた硬貨を収納する硬貨釣銭収納庫と、保管基準額の紙幣を釣銭準備金として収納する紙幣釣銭収納庫と、保管基準額を超えた紙幣を収納するとともに保管基準額を超えて前記硬貨釣銭収納庫に収納された硬貨に相当する金額を超えない金額を紙幣に換え、その紙幣を収納する紙幣金庫と、前記紙幣に換えることができなかった金額を繰越金として算出し、記憶部に記憶させる繰越金算出手段とを設け、売上金から前記繰越金算出手段が算出した繰越金を除いた紙幣を前記紙幣金庫に収納し、その紙幣を回収できるようにしたことを特徴とする。
【発明の効果】
【０００８】
このようにした本発明は、現金管理装置から紙幣が収納された紙幣金庫だけを回収し、硬貨の回収を不要にして現金の回収効率を向上させることができるという効果が得られる。
また、管理センタの係員の作業負担を軽減させることができるという効果が得られる。
【発明を実施するための最良の形態】
【０００９】
以下、図面を参照して本発明による現金管理装置および現金管理システムの実施例を説明する。
【実施例１】
【００１０】
図１は第１の実施例における現金管理装置の構成を示すブロック図、図２は第１の実施例における現金管理システムの構成を示す説明図、図３は第１の実施例における現金管理装置の外観を示す斜視図である。
図２において、１は現金管理装置であり、百貨店やスーパーマーケット、コンビニエンスストア等の小売業の店舗等に設置され、店舗の出納係やレジスタ２のオペレータ等の店員が操作して店舗の売場に設置されているレジスタ２へ釣銭準備金や補充する釣銭の出金およびレジスタ２から回収された現金の入金等を行って店舗の現金を管理する。
【００１１】
３は店舗に設置された管理端末であり、店舗内に設置された現金管理装置１に接続してこれらを統括する。
また、管理端末３は温度や煙、赤外線等により保安や火災等の状態を監視するための各種の監視センサ４と接続して店舗内の警備体制をも統括し、異常が検出された時に警報を発する。
【００１２】
更に、管理端末３は電話回線や専用回線等の通信回線５によりセンタに接続され、複数の店舗と契約して売上金や釣銭等を管理する統括管理会社のセンタに設置されている中央情報処理装置６および警備情報処理装置７と接続して相互に通信可能に構成されている。
中央情報処理装置６は、契約した各店舗の現金管理装置１から管理端末３、通信回線５を経由して送信される入金情報や出金情報等を格納する企業情報データベース６ａを備えてこれらを管理する一方、店舗の売上金を入金するための口座（売上金口座という。）を管理する金融機関である銀行８と接続すると共に、店舗の現金管理装置１への釣銭の供給や売上金の回収を行う専用車である集配車９を保有する地域管理センタの地域端末１０と接続している。
【００１３】
また、警備情報処理装置７も地域管理センタの地域端末１０と接続しており、管理端末３から警報が発信された時に地域端末１０に通知して警備車や警備員等を派遣する。
図１、図３において、１１は現金管理装置１の主制御部であり、現金管理装置１内の各部を制御して各種の処理等を実行する。
１２は記憶部であり、主制御部１１が実行するプログラムや主制御部１１による処理結果等が格納される。
【００１４】
１３は表示部であり、ＬＣＤ等の表示画面を備えており、各種の処理操作の案内および入金処理や出金処理の金種別の金額やその合計金額等が表示される。
１４はカードリーダであり、レジスタ２の現金を入出金する店員や売上げの締めを行う店長および現金管理装置１の現金の集配を行う地域管理センタの集配担当者等がそれぞれ携帯するＩＤカードを受入れ、そのＩＤカード情報を読取る機能を有している。
【００１５】
１５は入力部であり、店員や店長、集配担当者が入金処理や出金処理、締め処理、補充処理、回収処理等を行うことを指示するための操作キー１５ａおよび売上金の金額等を入力するためのテンキー１５ｂ等により構成されている。
１６はジャーナルプリンタ等の伝票印刷部であり、現金管理装置１による入金処理や出金処理の金額（金種別の金額を含む。）等を伝票に印刷して出力する。
【００１６】
２０は現金取扱部としての紙幣取扱部であり、以下に示す構成を備えている。
２１は紙幣入出金口であり、紙幣入出金口２１を開閉するための紙幣シャッタ２１ａが設けられており、店員等が投入した紙幣を受入れる紙幣入金口および店員等へ釣銭準備金等を排出する紙幣出金口として機能する。
２２は現金鑑別部としての紙幣鑑別部であり、紙幣搬送路により搬入された紙幣の真偽、正損、金種等を鑑別して金種毎に計数する。
【００１７】
２３は紙幣一時保留部であり、紙幣入出金口２１に投入され、紙幣鑑別部２２で鑑別、計数された紙幣を集積して一時待機させる。
２４は釣銭収納庫としての紙幣釣銭収納庫であり、釣銭として使用する金種（釣銭金種という。）の紙幣を金種別に収納する金庫であって、その金種毎に保管基準額が設定されている。
【００１８】
２５は現金金庫としての紙幣金庫であり、堅牢な筐体に交換可能な紙幣金庫カセットが装備された金庫であって、店舗の売上金の内の紙幣が金種別に収納される。
３０は現金取扱部としての硬貨取扱部であり、以下に示す構成を備えている。
３１は現金入金口としての硬貨入金口であり、硬貨入金口３１を開閉するための硬貨シャッタ３１ａが設けられており、店員等が投入した硬貨を受入れる。
【００１９】
３２は現金鑑別部としての硬貨鑑別部であり、硬貨搬送路またはリフタ等により搬入された硬貨の真偽、正損、金種等を鑑別して金種毎に計数する。
３３は硬貨リジェクト口であり、硬貨鑑別部３２で偽硬貨等と鑑別された不良硬貨が搬送されて集積され、店員等に返却される。
３４は硬貨一時保留部であり、硬貨入出金口３１に投入され、硬貨鑑別部３２で鑑別、計数された硬貨を金種別に集積して一時待機させる。
【００２０】
３５は釣銭収納庫としての硬貨釣銭収納庫であり、釣銭金種の硬貨を金種別に収納する金庫であって、その金種毎に保管基準額が設定されている。
３６は現金出金口としての硬貨出金口であり、開店前に店員等へ供給する釣銭準備金としての硬貨を排出する。
３８は回収扉であり、紙幣金庫２５に装着された紙幣金庫カセットを集配担当者が回収する場合に電子錠等が開錠されて開錠可能とされ、集配担当者の所持する鍵等で開錠される。
【００２１】
なお、図１に示した実線は、紙幣搬送路や硬貨搬送路等による各部位の機械的な接続状態を示し、破線は主制御部１１と各部との間の電気信号の送受のための電気的な接続状態を示す。
上述した構成の作用について説明する。
なお、以下に説明する各実施例における各部の動作は、図示しないメモリや磁気ディスク等の記憶手段に格納されたプログラム（ソフトウェア）に基づいて図示しない中央処理装置等の制御手段により制御される。
【００２２】
現金管理システムは、統括管理会社のセンタに設置された中央情報処理装置６より運用され、統括管理会社は複数の店舗と契約して売上金回収やその売上金口座への振込、釣銭の供給について管理する一方、警備情報処理装置７により契約した店舗の管理端末３から送信される警報に応じて店舗に対する警備員の派遣等を行い、防犯、防災についても管理する。
【００２３】
統括管理会社は、契約した店舗から釣銭に充当するための預託金を預かっており、これを釣銭口座に入金して管理すると共に、中央情報処理装置６の企業情報データベース６ａにその店舗の預託金を管理するための釣銭台帳、および繰越金を管理するための繰越金台帳を設けている。
ここで、繰越金とは、入金処理において売上金とするべき硬貨であるが、硬貨釣銭収納庫３５に収納した硬貨の金額をいう。
【００２４】
また、中央情報処理装置６の企業情報データベース６ａには契約した店舗の売上金を振込むためのその店舗の売上金口座の銀行名や口座番号等を売上金口座情報として格納する口座情報ファイルが設けられている。
更に、本実施例では、店舗の店長や店員および集配担当者には事前に契約している企業や店舗等を識別するための企業コード、その店舗を識別するための店舗コードおよびＩＤカードの所持者である店長や店員、集配担当者を識別するための従業員コードと入金や出金、締め、補充等の処理の有資格者であることを識別するためのＩＤカードコード等のＩＤカード情報を記録したＩＤカードが支給されている。
【００２５】
現金管理システムを利用する店舗は、釣銭のための預託金を統括管理会社に預ける一方、釣銭として使用する釣銭金種（本実施例では５千円、２千円、千円の紙幣および５００円、１００円、５０円、１０円、５円、１円の硬貨）を設定し、その店舗の業態や日付、曜日、時間帯および売場の商品構成等を考慮して開店前に各レジスタ２にセットする釣銭準備金の金種毎の枚数を複数の出金パターンにして設定し、これを現金管理装置１の記憶部１２に記憶させて登録する。
【００２６】
また、その店舗の売上げの規模やレジスタ２の台数、釣銭収納庫への定期的な補充間隔、近隣のイベントの開催等の外部要因による釣銭準備金の一時的な増加等を考慮して釣銭金種毎に紙幣釣銭収納庫２４および硬貨釣銭収納庫３５に標準的に収納するその金種の上限額である保管基準額を設定し、これを記憶部１２に記憶させて登録する。
そして、店舗に現金管理装置１が設置された時に、紙幣釣銭収納庫２４や硬貨釣銭収納庫３５には統括管理会社が預託金の中から供給した釣銭金種毎の保管基準額に相当する紙幣や硬貨（釣銭引当金という。）充填されており、紙幣金庫２５や硬貨金庫３７は空の状態になっている。
【００２７】
このようにして紙幣釣銭収納庫２４および硬貨釣銭収納庫３５に保管基準額の紙幣や硬貨が充填された現金管理装置１による開店前の釣銭準備金の出金処理の作動について、図４に示すフローチャートを用い、Ｓで示すステップに従って説明する。
Ｓ１、開店前に釣銭を準備する店員は、入力部１５の操作キー１５ａから出金処理を選択してその操作キー１５ａを押下する。
【００２８】
Ｓ２、これを検知した現金管理装置１の主制御部１１は、表示部１３にＩＤカードの挿入を促す旨の文言を表示し、店員が支給されているＩＤカードを現金管理装置１のカードリーダ１４に挿入すると、主制御部１１はこれを検知してＩＤカードを受付け、カードリーダ１４によりＩＤカードに記録されているＩＤカード情報を読取る。
Ｓ３、ＩＤカード情報を読取った主制御部１１は、ＩＤカードの正当性を判定し、ＩＤカードが正当である場合は読取ったＩＤカードコードによりその店員が釣銭準備金の出金を許可されている有資格者であることを判定してステップＳ４へ移行する。
【００２９】
ＩＤカードが正当でない、または釣銭準備金出金の有資格者でないと判定した場合は、その旨を表示部１３に表示して出金処理を終了させる。
Ｓ４、ＩＤカードが正当である等を判定した主制御部１１は、表示部１３に記憶部１２に登録されている釣銭準備金の複数の出金パターンや釣銭金種の金種毎の枚数入力欄等を表示した出金内訳入力画面を表示する。
【００３０】
店員は、釣銭準備金の出金パターンの一つを選択するか、またはテンキー１５ｂにより金種毎の出金枚数を入力するかして出金内訳を入力する。
Ｓ５、出金パターンまたは金種毎の枚数入力により出金すべき金種とその枚数を認識した主制御部１１は、その金種に該当する紙幣を紙幣釣銭収納庫２４から指定枚数を計数して繰出し、紙幣入出金口２１へ搬送して集積すると共に、その金種に該当する硬貨を硬貨釣銭収納庫３５から指定枚数を計数して繰出し、硬貨出金口３６へ搬送して集積する。
【００３１】
Ｓ６、紙幣や硬貨（これらをまとめていう場合は現金という。）の集積を終えた主制御部１１は、紙幣入出金口２１の紙幣シャッタ２１ａを開放すると共に表示部１３に現金の集積を終えた旨を表示し、店員は紙幣入出金口２１および硬貨出金口３６に集積された現金を取出す。
Ｓ７、現金の取出しを確認した主制御部１１は、紙幣シャッタ２１ａを閉鎖すると共に出金情報を作成し、これを管理端末３、通信回線５を経由してセンタの中央情報処理装置６へ送信する（中央情報処理装置６の作動は後述する。）。
【００３２】
出金情報は、出金処理が行われた日時、出金処理を実行したことを示す処理コードである出金コード、出金された金種毎の枚数とその合計金額、出金動作のタイムチャートを示す出金ログデータ、現金管理装置１が設置されている建物を示す建物コード、現金管理装置１の現金管理装置号機コードおよびＩＤカードから読取った従業員コードやＩＤカードコードであるＩＤカード出金コード等のＩＤカード情報等により構成される。
【００３３】
Ｓ８、出金情報の送信を終えた主制御部１１は、ＩＤカード情報や出金した金種毎の枚数とその合計金額等の実行した出金処理の内容を記載した伝票を伝票印刷部１６により印刷して発行し、店員はこの伝票を受取る。
その後、店員は取出した現金を担当するレジスタ２へ運び、そのレジスタ２にセットして顧客の来店を待って待機する。
【００３４】
Ｓ９、伝票を発行した主制御部１１は、紙幣釣銭収納庫２４および硬貨釣銭収納庫３５の残量を金種別に確認し、少なくとも一つの金種の残量がニアエンド基準値以下の場合は釣銭収納庫への補充が必要と判定してステップＳ１０へ移行する。全ての金種がニアエンド基準値を超えている場合は出金処理を終了させる。
Ｓ１０、釣銭収納庫への補充が必要と判定した主制御部１１はニアエンド情報を作成し、管理端末３、通信回線５を経由してセンタの中央情報処理装置６へ送信して出金処理を終了させる。
【００３５】
ニアエンド情報は、補充の必要性を判定した日時、釣銭のニアエンドを示す処理コードであるニアエンドコード、現金の金種毎の残枚数、建物コードおよび現金管理装置号機コード等により構成される。
上記の釣銭準備金の出金処理後に営業を開始した店舗において、不測の事態等により営業の途中でレジスタ２の釣銭が不足したときは、その店員は現金管理装置１により現金を出金（途中出金という。）し、不足した釣銭を補給する。
【００３６】
この場合に店員は、上記のステップＳ４において補給する金種の枚数を入力するようにして出金処理を行う。その他の作動は上記出金処理の作動と同様であるのでその説明を省略する。
営業の途中でレジスタ２に収納された売上金が多くなり、レジスタ２の現金が多量になった場合、店員は現金取扱の効率化や防犯のためにレジスタ２の過剰な現金を現金管理装置１へ入金（途中入金という。）する。
【００３７】
また、店舗の閉店後に店員は締め作業を行う。この時レジスタ２からはその日の売上高が出力され、店員はレジスタ２に収納されている現金（売上金と釣銭準備金が混在している。）を取出し、これを現金管理装置１へ持参して入金（締め入金という。）する。
以下に、図５に示すフローチャートを用い、ＳＡで示すステップに従って第１の実施例における現金管理装置１による途中入金および締め入金の入金処理の作動について説明する。
【００３８】
ＳＡ１、入金を行う店員は、入力部１５の操作キー１５ａから入金処理を選択してその操作キー１５ａを押下する。
ＳＡ２、これを検知した現金管理装置１の主制御部１１は、上記出金処理のステップＳ２と同様にしてＩＤカードの挿入を促し、店員がＩＤカードをカードリーダ１４に挿入すると、これを受付けてＩＤカード情報を読取る。
【００３９】
ＳＡ３、ＩＤカード情報を読取った主制御部１１は、上記出金処理のステップＳ３と同様にしてＩＤカードの正当性を判定し、ＩＤカードが正当である場合はＩＤカードコードにより入金を許可されている有資格者であることを判定してステップＳＡ４へ移行する。ＩＤカードが正当でない、または入金の有資格者でないと判定した場合は、その旨を表示部１３に表示して入金処理を終了させる。
【００４０】
ＳＡ４、ＩＤカードが正当である等を判定した主制御部１１は、表示部１３に現金の投入を促す旨の文言を表示すると共に、紙幣入出金口２１の紙幣シャッタ２１ａおよび硬貨入金口３１の硬貨シャッタ３１ａを開放して店員からの現金の投入を受付ける。
店員は、持参した途中入金または締め入金のための現金を紙幣と硬貨に区別して紙幣入出金口２１と硬貨入金口３１へ投入する。
【００４１】
ＳＡ５、現金の投入を検知した主制御部１１は、紙幣シャッタ２１ａおよび硬貨シャッタ３１ａを閉鎖して投入された現金の計数を行う。
すなわち、主制御部１１は、紙幣入出金口２１へ投入された紙幣を紙幣鑑別部２２へ搬送し、その紙幣の真偽、金種等を鑑別して金種毎に計数し、鑑別された紙幣を紙幣一時保留部２３へ搬送して一時保管する。この時偽券等の不良紙幣と鑑別された紙幣は紙幣入出金口２１へ搬送されて店員に返却される。
【００４２】
また、硬貨入出金口３１へ投入された硬貨を硬貨鑑別部３２へ搬送し、その硬貨の真偽、金種等を鑑別して金種毎に計数し、鑑別された硬貨を硬貨一時保留部３４へ搬送して金種別に一時保管する。この時偽硬貨等の不良硬貨と鑑別された硬貨は硬貨リジェクト口３３へ搬送されて店員に返却される。
なお、途中入金のように主に１万円札等の紙幣のみが投入された場合は、主制御部１１は所定の時間経過後に硬貨シャッタ３１ａを閉鎖し、硬貨の計数を省略する。
【００４３】
ＳＡ６、現金の計数を終えた主制御部１１は、表示部１３に金種毎の計数結果とその確認を促す旨の文言を表示した計数結果確認画面を表示する。
店員は、表示された計数結果が正しいと判断した場合は入力部１５の操作キー１５ａによって「ＹＥＳ」を押下する。これを検知した主制御部１１は計数結果が確定されたと認識してステップＳＡ８へ移行する。
【００４４】
店員が表示された計数結果と持参した現金とが一致しないと判断した場合は入力部１５の操作キー１５ａによって「ＮＯ」を押下する。これを検知した主制御部１１はこれを返却要求と認識してステップＳＡ７へ移行する。
ＳＡ７、返却要求を認識した主制御部１１は、紙幣一時保留部２３に一時保管した紙幣を紙幣入出金口２１へ、硬貨一時保留部３４に一時保管した硬貨を硬貨出金口３６へ搬送して投入された現金を店員に返却し、店員の受取りを確認して入金処理を終了する。その後店員は返却された現金を確認して再度入金処理を実行する。
【００４５】
ＳＡ８、計数結果が確定されたことを認識した主制御部１１は、表示部１３に売上高の入力を促す旨の文言およびその入力欄を表示した売上高入力画面を表示して店員に売上高の入力を促し、店員はレジスタ２から出力された売上高を参照して入力部１５のテンキー１５ｂにより売上高を入力する。これにより主制御部１１は売上高を認識し、これを記憶部１２に記憶してステップＳＡ９へ移行する。
【００４６】
なお、途中入金の入金処理においては入力すべき売上高がないので店員は操作キー１５ｂによって「ＮＯ」を押下する。これにより主制御部１１は売上高を「０」と認識し、入力を省略してステップＳＡ９へ移行する。
ＳＡ９、主制御部１１は入力された売上高（途中入金の場合は「０」）により売上高情報を作成すると共に入金情報を作成し、これらを管理端末３、通信回線５を経由してセンタの中央情報処理装置６へ送信する。
【００４７】
入金情報は、入金処理が行われた日時、入金処理を実行したことを示す処理コードである入金コード、入金された金種毎の枚数とその合計金額、入金動作のタイムチャートを示す入金ログデータ、建物コード、現金管理装置号機コードおよびＩＤカード情報等により構成される。
ＳＡ１０、入金情報等の送信を終えた主制御部１１は、ＩＤカード情報や入金された金種毎の枚数とその合計金額等の実行した入金処理の内容を記載した伝票を伝票印刷部１６により印刷して発行し、店員はこの伝票を受取って入金操作を終了する。
【００４８】
ＳＡ１１、伝票を発行した主制御部１１は、一時保留部に一時保留されている現金を釣銭収納庫へ収納する。
すなわち、主制御部１１は、紙幣一時保留部２３に一時保留されている紙幣を紙幣鑑別部２２へ再度搬送し、その紙幣の金種等を鑑別して金種毎に計数し、鑑別した紙幣が釣銭金種以外の紙幣（本実施例では１万円札が該当する。）の場合は紙幣金庫２５へ搬送して金種別に収納し、鑑別された紙幣が釣銭金種の場合は紙幣釣銭収納庫２４へ搬送して金種別に収納、すなわち高額の金種の紙幣を優先的に紙幣金庫２５へ搬送して金種別に収納する。
【００４９】
また、硬貨一時保留部３４に金種別に一時保留されているすべての硬貨（保管基準額の硬貨および保管基準額を超えた硬貨）を硬貨一時保留部３４からそれぞれの金種の硬貨釣銭収納庫３５へ放出して金種別に収納する。
ＳＡ１２、現金を釣銭収納庫に収納した主制御部１１は、紙幣釣銭収納庫２４および硬貨釣銭収納庫３５の収納量を金種別に確認して記憶部１２に登録されている釣銭金種毎の保管基準額と比較し、保管基準額を超えている金種の紙幣、つまり余剰金の紙幣を紙幣金庫２５へ搬送して金種別に収納する。
【００５０】
また、保管基準額を超えている金種の硬貨については、その保管基準額を超えている金額に相当する紙幣（金額が一致しない場合はその金額を超えない額に相当する紙幣、例えば保管基準額を超えている金種の硬貨の合計額が１２００円である場合は千円札を１枚）を紙幣金庫２５へ搬送して金種別に収納する。つまり余剰金の硬貨に相当する金額を硬貨に替えて紙幣で紙幣金庫２５へ搬送して金種別に収納する。
【００５１】
このとき、高額の金種の紙幣を優先して紙幣金庫２５へ搬送して金種別に収納するものとする。
ＳＡ１３、余剰金の現金金庫への収納を終えた主制御部１１（繰越金算出手段）は、繰越金の金額を算出して記憶部１２に記憶させる。
ここで、繰越金とは、余剰金の硬貨に相当する金額のうち、硬貨に替えて紙幣で紙幣金庫２５へ搬送して金種別に収納することができなかった硬貨をいう。例えば、保管基準額を超えている金種の硬貨の合計額が１２００円である場合、紙幣に替えることができない２００円が繰越金となる。
【００５２】
なお、繰越金の金額は、入金処理毎に記憶部１２に記憶されるものとする。
ＳＡ１４、繰越金額を記憶部１２に記憶させた主制御部１１は、紙幣金庫２５および硬貨金庫３７の収納量を確認し、少なくとも一つの金種の収納量がニアフル基準値を超えている場合は現金の回収が必要と判定してステップＳＡ１５へ移行する。全ての金種がニアフル基準値以下の場合は入金処理を終了させる。
【００５３】
ＳＡ１５、現金金庫の現金の回収が必要と判定した主制御部１１はニアフル情報を作成し、管理端末３、通信回線５を経由してセンタの中央情報処理装置６へ送信して入金処理を終了させる。
ニアフル情報は、回収の必要性を判定した日時、現金のニアフルを示す処理コードであるニアフルコード、現金の金種毎の収納枚数、建物コードおよび現金管理装置号機コード等により構成される。
【００５４】
なお、紙幣金庫２５へ収納する紙幣は、紙幣金庫２５に金種を混在させて収納するようにしてもよい。これにより紙幣金庫２５の構造の簡素化を図ることができると共に紙幣金庫２５の収納量を増加させることができ、後述する現金の回収の周期を長く設定することができる。
このように、原則として釣銭収納庫にはレジスタ２から回収された釣銭金種の紙幣や硬貨が循環使用されて保管基準額に相当する金額の紙幣および硬貨が収納され、現金金庫には売上金に相当する紙幣が収納され、全てのレジスタ２の締め入金の終了後には現金管理装置１の釣銭収納庫と現金金庫に収納されている現金は、常に当初の釣銭引当金と売上金の総額となる。
【００５５】
ところで、締め入金においてレジスタ２から回収される現金の総額は当初の釣銭準備金とそのレジスタ２の売上金（途中入金、途中出金が行われた場合はその額を増減した額）で構成されるが、釣銭準備金として出金された金種は商品代金を精算する時にさまざまに変化し、閉店後にはその金種別内訳が変ってしまうのが常である。
従って、締め入金の終了後に現金管理装置１の釣銭収納庫に収納されている現金は、例えば１００円硬貨や１０円硬貨、１円硬貨といった釣銭としてよく使用されるが商品代金として支払われることが少ない金種の場合は、釣銭収納庫のその金種は不足した状態で収納されている。
【００５６】
このとき、釣銭収納庫の不足分に相当する金額、つまり釣銭準備金として出金された現金の中で現金金庫に収納された金額は他の金種、例えば１万円札や千円札に加えられて現金金庫に収納されている。
以下に、図６のフローチャートを用い、ＳＢで示すステップに従って第１の実施例における現金管理装置１による締め処理の作動について説明する。
【００５７】
ＳＢ１、全てのレジスタ２の締め入金の入金処理の終了後に店舗の責任者、例えば店長は、入力部１５の操作キー１５ａから締め処理を選択してその操作キー１５ａを押下する。
ＳＢ２、これを検知した現金管理装置１の主制御部１１は、上記出金処理のステップＳ２と同様にしてＩＤカードの挿入を促し、店長がＩＤカードをカードリーダ１４に挿入すると、主制御部１１はこれを受付けてＩＤカード情報を読取る。
【００５８】
ＳＢ３、ＩＤカード情報を読取った主制御部１１は、上記出金処理のステップＳ３と同様にしてＩＤカードの正当性を判定し、ＩＤカードが正当である場合はＩＤカードコードにより締め処理を許可されている有資格者であることを判定してステップＳＢ４へ移行する。ＩＤカードが正当でない、または締め処理の有資格者でないと判定した場合は、その旨を表示部１３に表示して締め処理を終了させる。
【００５９】
ＳＢ４、ＩＤカードが正当である等を判定した主制御部１１は、締め情報および繰越金情報を作成し、これを管理端末３、通信回線５を経由してセンタの中央情報処理装置６へ送信する。
締め情報は、締め処理が行われた日時、締め処理を実行したことを示す処理コードである締めコード、締め動作のタイムチャートを示す締めログデータ、建物コード、現金管理装置号機コードおよびＩＤカード情報等により構成される。
【００６０】
繰越金情報は、前回締め処理から今回締め処理までに行われた入金処理で算出された繰越金の累計金額により構成される。
締め情報および繰越金情報を受信した中央情報処理装置６は、前回の締め処理から今回の締め処理までの間の店舗における現金の移動を集計し、これを現金移動情報として送信元の現金管理装置１へ送信する（後述する図７のステップＳＣ１４）。
【００６１】
ＳＢ５、現金移動情報を受信した現金管理装置１の主制御部１１は、現金移動情報を基に前回の締め処理から今回の締め処理までの間の店舗の売上高と入金された金種毎の枚数や従業員コード別（各レジスタ２に相当する。）の売上高とその金種毎の枚数等を表示部１３に表示し、店長は表示された内容を確認して入力部１５の操作キー１５ａによって「ＹＥＳ」を押下する。
【００６２】
ＳＢ６、これを検知した主制御部１１は、売上高等が確認されたことを認識し、中央情報処理装置６に対して確認通知を送信する。
ＳＢ７、確認通知を送信した主制御部１１は、受信した現金移動情報や締め処理を行った店長のＩＤカード情報等を記載した伝票を伝票印刷部１６により印刷して発行し、店長が伝票を受取ったことを確認して締め処理を終了させる。
【００６３】
上記のようにして現金管理装置１から各種の情報を受取った中央情報処理装置６の業務処理の作動について図７に示すフローチャートを用い、ＳＣで示すステップに従って説明する。
ＳＣ１、中央情報処理装置６は現金管理装置１からの各種の情報の着信を待って待機しており、情報を受信した時にステップＳＣ３へ移行する。情報を受信しない場合はステップＳＣ２へ移行する。
【００６４】
ＳＣ２、中央情報処理装置６はそのタイマー機能により、業務時間の終了を判定し、業務時間中の場合はステップＳＣ１へ戻って上記の待機を継続し、業務時間が終了している場合は業務処理を終了させる。
ＳＣ３、中央情報処理装置６は受信した情報の処理コードが出金コード（出金情報）であるときはステップＳＣ４へ移行する。他の処理コードの場合はステップＳＣ５へ移行する。
【００６５】
ＳＣ４、出金情報を受信した中央情報処理装置６は、その出金情報を建物コード、現金管理装置号機コードで分類して企業情報データベース６ａに格納し、ステップＳＣ１へ戻って情報の着信を待って待機する。
ＳＣ５、中央情報処理装置６は受信した情報の処理コードが入金コード（入金情報）であるときはステップＳＣ６へ移行する。他の処理コードの場合はステップＳＣ７へ移行する。
【００６６】
ＳＣ６、入金情報を受信した中央情報処理装置６は、その入金情報と売上高情報を建物コード、現金管理装置号機コードで分類して企業情報データベース６ａに格納し、ステップＳＣ１へ戻って情報の着信を待って待機する。
ＳＣ７、中央情報処理装置６は受信した情報の処理コードがニアエンドコード（ニアエンド情報）であるときはステップＳＣ８へ移行する。他の処理コードの場合はステップＳＣ１１へ移行する。
【００６７】
ＳＣ８、ニアエンド情報を受信した中央情報処理装置６は、建物コードにより契約した店舗を特定し、その店舗の預託金の範囲内で現金の金種毎の残枚数から補充すべき金種毎の補充枚数を算出し、その合計額である補充額を企業情報データベース６ａの釣銭台帳から引落として釣銭台帳を更新すると共に、釣銭口座を開設している銀行等の金融機関へ出金する金種別の枚数を通知して釣銭口座からその補充額を出金する。
【００６８】
ＳＣ９、補充額を出金した中央情報処理装置６は、ニアエンド情報の建物コードや現金管理装置号機コード、釣銭口座の銀行の銀行コードおよび金種毎の補充枚数等から構成される補充指示を地域管理センタ１０へ送信する。
補充指示を受信した地域端末１０はその内容を表示し、集配担当者は集配車９により銀行コードの銀行から補充枚数の現金を受取って現金管理装置１へ釣銭を補充する（補充の作動は後述する。）。
【００６９】
ＳＣ１０、補充指示を送信した中央情報処理装置６は、受信したニアエンド情報に釣銭台帳を更新した日時とその金種毎の補充枚数等を添付したニアエンド処理情報を建物コード、現金管理装置号機コードを基に企業情報データベース６ａに格納してステップＳＣ１へ戻り、情報の着信を待って待機する。
ＳＣ１１、中央情報処理装置６は受信した情報の処理コードがニアフルコード（ニアフル情報）であるときはステップＳＣ１２へ移行する。他の処理コード、つまり締めコード（締め情報）の場合はステップＳＣ１４へ移行する。
【００７０】
ＳＣ１２、ニアフル情報を受信した中央情報処理装置６は、現金の金種毎の収納枚数から回収すべき金種を判定し、その金種とニアフル情報の建物コードや現金管理装置号機コード等から構成される回収指示を地域管理センタ１０へ送信する。
回収指示を受信した地域端末１０はその内容を表示し、集配担当者は集配車９により現金管理装置１の店舗へ行って回収すべき金種を回収する（回収の作動は後述する。）。
【００７１】
ＳＣ１３、回収指示を送信した中央情報処理装置６は、受信したニアフル情報に回収すべき金種等を添付したニアフル処理情報を建物コード、現金管理装置号機コードを基に企業情報データベース６ａに格納してステップＳＣ１へ戻り、情報の着信を待って待機する。
ＳＣ１４、締め情報を受信した中央情報処理装置６は、受信した建物コードを基に企業情報データベース６ａのその建物コードの前回締め処理から今回締め処理までの入金情報と出金情報、売上高情報を全て抽出し、売上高情報を基にその店舗の売上高を集計し、入金情報の金種毎の枚数を基に入金された金種毎の枚数を集計し、これに従業員コード別の売上高とその金種毎の枚数、この間に実行された入金処理と出金処理の履歴および締め情報を受信した日時等から構成される現金移動情報を作成してこれを送信元の現金管理装置１（図６のステップＳＢ５）へ送信する。
【００７２】
このとき、繰越金情報は現金移動情報に含まれないものとする。
ＳＣ１５、中央情報処理装置は現金管理装置１（図６のステップＳＢ６）からの確認通知の受信を待って待機し、確認通知を受信したことによって売上高等が確認されたことを認識する。
ＳＣ１６、中央情報処理装置６は、締め情報の建物コードまたはＩＤカード情報の企業コードを参照して契約した店舗を特定し、これを基に企業情報データベース６ａに格納されている口座情報ファイルを検索して該当する店舗の売上金口座情報を抽出し、その銀行８の売上金口座に確認された売上高を振込む。
【００７３】
このとき、売上高に含まれる繰越金は統括管理会社が銀行８から借入、または統括管理会社が立替払いすることになる。
売上高口座への振込を受付けた銀行８は、売上高が振込まれた旨を口座の開設者である店舗へ通知する。
ＳＣ１７、売上高の振込を終えた中央情報処理装置６は、入金情報を基に現金管理装置１に入金された金額を集計し、この入金額から売上高を減じて釣銭金額を算出し、この釣銭金額を釣銭口座に振込む。
【００７４】
ＳＣ１８、釣銭金額の振込を終えた中央情報処理装置６は、受信した締め情報に作成した現金移動情報および売上高を振込んだ日時とその売上金口座情報と振込額、並びに釣銭金額を振込んだ日時とその振込額等を添付した締切処理情報を建物コード、現金管理装置号機コードを基に企業情報データベース６ａに格納してステップＳＣ１へ戻り、情報の着信を待って待機する。
【００７５】
このようにして、店舗の売上高や釣銭金額がそれぞれ振込まれるが、この入金は統括管理会社の立替払いとなっているので実際の現金が収納されている現金管理装置１からその現金を回収する必要がある。
このため、統括管理会社は地域管理センタによって上記のニアフル情報やニアエンド情報による突発的な回収や補充の他に、現金管理装置１の現金の回収や補充を定期的に行っている。
【００７６】
現金管理装置１の現金の回収や補充を定期的に行う場合は、地域管理センタから集配担当者が集配車９によって現金の回収後に装着する空の紙幣金庫カセットおよび補充のための現金とを持参して該当する店舗を巡回し、以下のように行う。
現金管理装置１の現金を回収する場合は、集配担当者は入力部１５の操作キー１５ａから回収処理を選択してその操作キー１５ａを押下し、これを検知した主制御部１１は上記出金処理のステップＳ２と同様にしてＩＤカードの挿入を促し、集配担当者が持参したＩＤカードをカードリーダ１４に挿入すると、これを受付けてＩＤカード情報を読取り、上記出金処理のステップＳ３と同様にしてＩＤカードが正当であり、ＩＤカードコードにより回収を許可されている有資格者であること確認する。
【００７７】
ＩＤカードの正当性等を確認した主制御部１１は、紙幣釣銭収納庫２４の紙幣を紙幣金庫２５に搬送して収納し、その後に電子錠等を開錠して回収扉３８を開錠可能とする。
集配担当者は所持する鍵等で回収扉を開錠し、紙幣金庫２５に装着されている紙幣金庫カセットを取出し、持参した空の紙幣金庫カセットを装着して回収扉３８を施錠する。
これを検知した主制御部１１は、回収扉３８の電子錠等を施錠し、上記出金処理のステップＳ８と同様にして回収処理内容を伝票に印刷して発行し、集配担当者の受取を確認して回収処理を終了させる。
【００７８】
この回収処理で回収できる現金は紙幣だけであるので、それぞれの入金処理で発生した繰越金は硬貨釣銭収納庫３５に収納されたままとなっている。
なお、上記の回収処理においては、紙幣金庫カセットと紙幣釣銭収納庫２４を別に設けた場合について説明したが、これらを統合して紙幣金庫カセットと兼用にするようにしてもよい。これにより回収処理の効率化を図ることができると共に現金管理装置１の簡素化を図ることができる。
【００７９】
このようにして空になった紙幣釣銭収納庫２４、および保管基準額に達していない硬貨釣銭収納庫３５に現金を補充する場合は、集配担当者は入力部１５の操作キー１５ａから補充処理を選択してその操作キー１５ａを押下し、上記と同様にして主制御部１１がＩＤカードの正当性等を確認した後に、主制御部１１は上記入金処理のステップＳＡ４と同様にして現金入金口を開放し、集配担当者は持参した補充のための現金を現金入金口へ投入する。
【００８０】
その後、上記入金処理のステップＳＡ５と同様にして現金が計数されてその計数結果が表示され、計数結果が集配担当者により確定されると主制御部１１は入金処理のステップＳＡ１１と同様にして一時保留部に一時保留されている現金を釣銭収納庫へ収納し、上記出金処理のステップＳ８と同様にして補充処理内容を伝票に印刷して発行し、集配担当者の受取りを確認して補充処理を終了させる。
【００８１】
なお、ニアフル情報による回収は、上記の回収処理と同様であるが、回収する現金はニアフルとなった金種またはその金種を含む現金金庫カセットのみを回収するようにする。
また、ニアエンド情報による補充は、上記の補充処理と同様であるが、補充する現金はニアエンドとなった金種のみを補充するようにする。
更に、店舗が設定した釣銭金種の保管基準額の変更は、店舗の要請によって行うことが可能であり、当初の預託金の額を変更して保管基準額の増額または減額を受付けるようにする。
【００８２】
また、上記の回収処理により回収された現金は、集配車９により地域管理センタへ輸送され、その回収された現金の一部が立替払いとなっている売上高から繰越金を減算した現金に充当され、残りの現金は釣銭の両替のために回収されたとして釣銭金額に充当される。しかし、繰越金は上記回収処理で回収されていないため、立替払いになったままである。（なお、繰越金は統括管理会社が銀行８から借入するようにしてもよい。）
ここで、売上高、繰越金、回収処理で回収された回収金額、立替払いとなった立替金の関係を図８に基づいて説明する。
【００８３】
図８において、１日目の締め処理で売上高が１６，６００円、繰越金が６００円である場合、統括管理会社は売上高から繰越金を除いた金額の回収金額１６，０００円を回収処理で回収することができ、統括管理会社の１日目の立替金は６００円、累積立替金は６００円となる。
次に、２日目の締め処理で売上高が２１，６００円、繰越金が６００円である場合、統括管理会社は売上高から繰越金を除いた金額の回収金額２１，０００円を回収処理で回収することができ、統括管理会社の２日目の立替金は６００円、累積立替金は１,２００円となる。
【００８４】
同様に、３日目の締め処理で売上高が１４，６００円、繰越金が６００円である場合、回収金額は１４，０００円、立替金は６００円、累積立替金は１,８００円となり、４日目の締め処理で売上高が１６，６００円、繰越金が６００円である場合、回収金額は１６，０００円、立替金は６００円、累積立替金は２,４００円となる。
したがって、統括管理会社は、立替払いになっている累積繰越金（累積立替金）を別途契約店舗から保守費用の一部として徴収するようにする。
【００８５】
以上説明したように、第１の実施例では、保管基準額を超えた硬貨に相当する金額は紙幣に交換して紙幣金庫に収納させ、また紙幣に交換できない硬貨は繰越金として硬貨釣銭収納庫に収納させて現金管理装置から紙幣が収納された紙幣金庫だけを回収するようにすることにより、硬貨の回収を不要にして回収効率を向上させることができるという効果が得られる。
【００８６】
また、回収した紙幣金庫に収納された紙幣だけを管理センタ等で計数すればよいため、係員の作業負担を軽減させることができるという効果が得られる。
さらに、現金管理装置は硬貨の回収機構が不要になるため、装置の小型化や低価格化が可能になるという効果が得られる。
また、統括管理会社は、硬貨の回収が不要になるため、売上金回収および釣銭準備金補充等のサービスを低価格で提供することができるようになるという効果が得られる。
【実施例２】
【００８７】
第２の実施例の構成は第１の実施例の構成と同様なので、同一の符号を付してその説明を省略する。
第２の実施例の構成の作用について説明する。
現金管理システムは、統括管理会社のセンタに設置された中央情報処理装置６より運用され、統括管理会社は複数の店舗と契約して売上金回収やその売上金口座への振込、釣銭の供給について管理する一方、警備情報処理装置７により契約した店舗の管理端末３から送信される警報に応じて店舗に対する警備員の派遣等を行い、防犯、防災についても管理する。
【００８８】
統括管理会社は、契約した店舗から釣銭に充当するための預託金を預かっており、これを釣銭口座に入金して管理すると共に、中央情報処理装置６の企業情報データベース６ａにその店舗の預託金を管理するための釣銭台帳、および繰越金を管理するための繰越金台帳を設けている。
ここで、繰越金とは、入金処理において売上金とするべき硬貨であるが、硬貨釣銭収納庫３５に収納した硬貨の金額をいう。
【００８９】
また、中央情報処理装置６の企業情報データベース６ａには契約した店舗の売上金を振込むためのその店舗の売上金口座の銀行名や口座番号等を売上金口座情報として格納する口座情報ファイルが設けられている。
更に、本実施例では、店舗の店長や店員および集配担当者には事前に契約している企業や店舗等を識別するための企業コード、その店舗を識別するための店舗コードおよびＩＤカードの所持者である店長や店員、集配担当者を識別するための従業員コードと入金や出金、締め、補充等の処理の有資格者であることを識別するためのＩＤカードコード等のＩＤカード情報を記録したＩＤカードが支給されている。
【００９０】
現金管理システムを利用する店舗は、釣銭のための預託金を統括管理会社に預ける一方、釣銭として使用する釣銭金種（本実施例では５千円、２千円、千円の紙幣および５００円、１００円、５０円、１０円、５円、１円の硬貨）を設定し、その店舗の業態や日付、曜日、時間帯および売場の商品構成等を考慮して開店前に各レジスタ２にセットする釣銭準備金の金種毎の枚数を複数の出金パターンにして設定し、これを現金管理装置１の記憶部１２に記憶させて登録する。
【００９１】
また、その店舗の売上げの規模やレジスタ２の台数、釣銭収納庫への定期的な補充間隔、近隣のイベントの開催等の外部要因による釣銭準備金の一時的な増加等を考慮して釣銭金種毎に紙幣釣銭収納庫２４および硬貨釣銭収納庫３５に標準的に収納するその金種の上限額である保管基準額を設定し、これを記憶部１２に記憶させて登録する。
そして、店舗に現金管理装置１が設置された時に、紙幣釣銭収納庫２４や硬貨釣銭収納庫３５には統括管理会社が預託金の中から供給した釣銭金種毎の保管基準額に相当する紙幣や硬貨（釣銭引当金という。）充填されており、紙幣金庫２５や硬貨金庫３７は空の状態になっている。
【００９２】
このようにして紙幣釣銭収納庫２４および硬貨釣銭収納庫３５に保管基準額の紙幣や硬貨が現金管理装置１に充填されているのは第１の実施例と同様である。
なお、現金管理装置１による開店前の釣銭準備金の出金処理、途中入金および締め入金の入金処理の作動は第１の実施例と同様であるので、その説明を省略する。
以下に、図９のフローチャートを用い、ＳＤで示すステップに従って第２の実施例における現金管理装置１による締め処理の作動について説明する。
【００９３】
ＳＤ１、全てのレジスタ２の締め入金の入金処理の終了後に店舗の責任者、例えば店長は、入力部１５の操作キー１５ａから締め処理を選択してその操作キー１５ａを押下する。
ＳＤ２、これを検知した現金管理装置１の主制御部１１は、上記第１の実施例の出金処理のステップＳ２と同様にしてＩＤカードの挿入を促し、店長がＩＤカードをカードリーダ１４に挿入すると、主制御部１１はこれを受付けてＩＤカード情報を読取る。
【００９４】
ＳＤ３、ＩＤカード情報を読取った主制御部１１は、上記第１の実施例の出出金処理のステップＳ３と同様にしてＩＤカードの正当性を判定し、ＩＤカードが正当である場合はＩＤカードコードにより締め処理を許可されている有資格者であることを判定してステップＳＤ４へ移行する。ＩＤカードが正当でない、または締め処理の有資格者でないと判定した場合は、その旨を表示部１３に表示して締め処理を終了させる。
【００９５】
ＳＤ４、ＩＤカードが正当である等を判定した主制御部１１（繰越金累計手段）は、入金処理のステップＳＡ１３で記憶部１２に記憶させておいた繰越金の金額を集計し、前回締め処理から今回締め処理までに行われた入金処理で算出された繰越金の累計金額を算出し、記憶部１２に記憶させる。
ＳＤ５、繰越金の累計金額を算出した主制御部１１は、その繰越金の累計金額のうち紙幣に換えることができる金額に相当する紙幣（例えば累計金額が２，３００円の場合、２，０００円に相当する千円札２枚）を紙幣釣銭収納庫２４から紙幣金庫２５へ移動する。
【００９６】
ＳＤ６、紙幣を移動した主制御部１１は、締め情報および繰越金情報を作成し、これを管理端末３、通信回線５を経由してセンタの中央情報処理装置６へ送信する。
締め情報は、締め処理が行われた日時、締め処理を実行したことを示す処理コードである締めコード、締め動作のタイムチャートを示す締めログデータ、建物コード、現金管理装置号機コードおよびＩＤカード情報等により構成される。
【００９７】
繰越金情報は、前回締め処理から今回締め処理までに行われた入金処理で算出された繰越金の累計金額から紙幣に換えた金額を減算した締め処理後の繰越金額により構成される。
締め情報および繰越金情報を受信した中央情報処理装置６は、前回の締め処理から今回の締め処理までの間の店舗における現金の移動を集計し、これを現金移動情報として送信元の現金管理装置１へ送信する（図７のステップＳＣ１４）。
【００９８】
ＳＤ７、現金移動情報を受信した現金管理装置１の主制御部１１は、現金移動情報を基に前回の締め処理から今回の締め処理までの間の店舗の売上高と入金された金種毎の枚数や従業員コード別（各レジスタ２に相当する。）の売上高とその金種毎の枚数等を表示部１３に表示し、店長は表示された内容を確認して入力部１５の操作キー１５ａによって「ＹＥＳ」を押下する。
【００９９】
ＳＤ８、これを検知した主制御部１１は、売上高等が確認されたことを認識し、中央情報処理装置６に対して確認通知を送信する。
ＳＤ９、確認通知を送信した主制御部１１は、受信した現金移動情報や締め処理を行った店長のＩＤカード情報等を記載した伝票を伝票印刷部１６により印刷して発行し、店長が伝票を受取ったことを確認して締め処理を終了させる。
【０１００】
中央情報処理装置６の業務処理、現金管理装置１の回収処理、補充処理は第１の実施例と同様なのでその説明を省略する。
また、回収処理により回収された現金は、集配車９により地域管理センタへ輸送され、その回収された現金の一部が立替払いとなっている売上高から繰越金を減算した現金に充当され、残りの現金は釣銭の両替のために回収されたとして釣銭金額に充当される。しかし、繰越金は回収処理で回収されていないため、立替払いになったままである。（なお、繰越金は統括管理会社が銀行８から借入するようにしてもよい。）
ここで、売上高、繰越金、締め処理で繰越金を紙幣に交換した金額（紙幣交換金額）、締め処理後の繰越金（立替金）、回収処理で回収された回収金額の関係を図１０に基づいて説明する。
【０１０１】
図１０において、１日目の締め処理で売上高が１６，６００円、繰越金が６００円である場合、統括管理会社は売上高から繰越金を除いた金額の回収金額１６，０００円を回収処理で回収することができ、統括管理会社の１日目の立替金は６００円、累積立替金は６００円となる。
次に、２日目の締め処理で売上高が２１，６００円、繰越金が６００円である場合、繰越金の累計は１，２００円になり、そのうちの１，０００円に相当する紙幣が紙幣釣銭収納庫２４から紙幣金庫２５へ移動、つまり１，０００円分（紙幣交換金額）の硬貨が紙幣に交換される。
【０１０２】
したがって、締め処理後の繰越金は、繰越金の累計１，２００円から紙幣交換金額１，０００円を減算した２００円になり、回収処理では２２，０００円の紙幣が回収される。
回収金額が売上高を上回っているので、統括管理会社は立替え払いする必要はなく、逆に、回収金額から売上高を除いた金額４００円を、前日までの立替金として統括管理会社が回収し、２日目の累積立替金は２００円となる。
【０１０３】
３日目の締め処理で売上高が１４，６００円、繰越金が６００円である場合、繰越金の累計は８００円になるが、紙幣と交換できない為、回収金額は売上高から繰越金を除いた金額１４，０００円となり、統括管理会社の３日目の立替金は６００円、累計立替金は８００円となる。
４日目の締め処理で売上高が１６，６００円、繰越金が６００円である場合、繰越金の累計は１，４００円となり、そのうちの１，０００円に相当する硬貨が紙幣に交換され、繰越金の累計１，４００円から紙幣交換金額１，０００円を減算した４００円が締め処理後の繰越金となり、１７，０００円の紙幣が回収される。
【０１０４】
２日目と同様に、回収金額が売上高を上回っているので、４日目の統括管理会社の立替金は０円となり、回収金額から売上高を除いた金額４００円を、前日までの立替金として統括管理会社が回収し、累積立替金は４００円となる。
このように、繰越金を紙幣に交換することで、紙幣の最低金額（例えば千円）を超えることのない低額な締め処理後の繰越金を統括管理会社が立替払いする。
【０１０５】
なお、統括管理会社は、立替払いになっている締め処理後の繰越金を別途契約店舗から保守費用の一部として徴収するようにする。
以上説明したように、第２の実施例では、第１の実施例の効果に加え、統括管理会社が立替払いする金額を低額に抑えることができるという効果が得られる。
【実施例３】
【０１０６】
第１の実施例および第２の実施例では、現金管理装置１が管理端末を介して統括管理会社のセンタに設置されている中央情報処理装置に通信回線で接続された構成としたが、本実施例では現金管理装置１は中央情報処理装置等に通信回線で接続されていないオフラインの構成とし、また現金管理装置１は上位装置としてのレジスタ２との間で通信可能に接続されレジスタ２からの指示を受信して入金処理や出金処理、締め処理、補充処理、回収処理等を行うように構成されている。
【０１０７】
図１１において、１１は現金管理装置１の主制御部であり、レジスタ２との通信を可能にする通信手段を備えるとともに現金管理装置１内の各部を制御して各種の処理等を実行する。
１２は記憶部であり、主制御部１１が実行するプログラムや主制御部１１による処理結果等が格納される。
【０１０８】
２０は現金取扱部としての紙幣取扱部であり、以下に示す構成を備えている。
２１は紙幣入出金口であり、紙幣入出金口２１を開閉するための紙幣シャッタ２１ａが設けられており、店員等が投入した紙幣を受入れる紙幣入金口および店員等へ釣銭準備金等を排出する紙幣出金口として機能する。
２２は現金鑑別部としての紙幣鑑別部であり、紙幣搬送路により搬入された紙幣の真偽、正損、金種等を鑑別して金種毎に計数する。
【０１０９】
２３は紙幣一時保留部であり、紙幣入出金口２１に投入され、紙幣鑑別部２２で鑑別、計数された紙幣を集積して一時待機させる。
２４は釣銭収納庫としての紙幣釣銭収納庫であり、釣銭として使用する金種（釣銭金種という。）の紙幣を金種別に収納する金庫であって、その金種毎に保管基準額が設定されている。
【０１１０】
２５は現金金庫としての紙幣金庫であり、堅牢な筐体に交換可能な紙幣金庫カセットが装備された金庫であって、店舗の売上金の内の紙幣が金種別に収納される。
３０は現金取扱部としての硬貨取扱部であり、以下に示す構成を備えている。
３１は現金入金口としての硬貨入金口であり、硬貨入金口３１を開閉するための硬貨シャッタ３１ａが設けられており、店員等が投入した硬貨を受入れる。
【０１１１】
３２は現金鑑別部としての硬貨鑑別部であり、硬貨搬送路またはリフタ等により搬入された硬貨の真偽、正損、金種等を鑑別して金種毎に計数する。
３３は硬貨リジェクト口であり、硬貨鑑別部３２で偽硬貨等と鑑別された不良硬貨が搬送されて集積され、店員等に返却される。
３４は硬貨一時保留部であり、硬貨入出金口３１に投入され、硬貨鑑別部３２で鑑別、計数された硬貨を金種別に集積して一時待機させる。
【０１１２】
３５は釣銭収納庫としての硬貨釣銭収納庫であり、釣銭金種の硬貨を金種別に収納する金庫であって、その金種毎に保管基準額が設定されている。
３６は現金出金口としての硬貨出金口であり、開店前に店員等へ供給する釣銭準備金としての硬貨を排出する。
３８は回収扉であり、紙幣金庫２５に装着された紙幣金庫カセットや硬貨金庫カセットを集配担当者が回収する場合に電子錠等が開錠されて開錠可能とされ、集配担当者の所持する鍵等で開錠される。
【０１１３】
２０１はレジスタ２の主制御部であり、レジスタ２内の各部を制御して各種の処理等を実行する。
２０２は通信Ｉ／Ｆ部であり、現金管理装置１との間で各種情報の送受信の制御を行うものである。
２０３は表示部であり、ＬＣＤ等の表示画面を備えており、各種の処理操作の案内および入金処理や出金処理の金種別の金額やその合計金額等が表示される。
【０１１４】
２０４はカードリーダであり、レジスタ２の現金を入出金する店員や売上げの締めを行う店長および現金管理装置１の現金の集配を行う地域管理センタの集配担当者等がそれぞれ携帯するＩＤカードを受入れ、そのＩＤカード情報を読取る機能を有している。
２０５は入力部であり、店員がレジスタ２において入金処理や出金処理等を行うことを指示するため、および店員や店長、集配担当者が現金管理装置１において入金処理や出金処理、締め処理、補充処理、回収処理等を行うことを指示するための図示しない操作キーおよび売上金の金額等を入力するためのテンキー等により構成されている。
【０１１５】
２０６はジャーナルプリンタ等の伝票印刷部であり、レジスタ２や現金管理装置１による入金処理や出金処理の金額（金種別の金額を含む。）等を伝票に印刷して出力する。
なお、図１１に示した実線は、紙幣搬送路や硬貨搬送路等による各部位の機械的な接続状態を示し、破線は主制御部１１、２０１と各部との間の電気信号の送受のための電気的な接続状態を示す。
【０１１６】
また、本実施例では、表示部２０３、カードリーダ２０４、入力部２０５、伝票印刷部２０６をレジスタ２に備えた構成としたが、現金管理装置１に備えるようにしてもよい。
上述した構成の作用について説明する。
統括管理会社は、契約した店舗から釣銭に充当するための預託金を預かっており、これを釣銭口座に入金して管理すると共に、図示しない中央情報処理装置の企業情報データベースにその店舗の預託金を管理するための釣銭台帳、および繰越金を管理するための繰越金台帳を設けている。
【０１１７】
ここで、繰越金とは、入金処理において売上金とするべき硬貨であるが、硬貨釣銭収納庫３５に収納した硬貨の金額をいう。
また、中央情報処理装置の企業情報データベースには契約した店舗の売上金を振込むためのその店舗の売上金口座の銀行名や口座番号等を売上金口座情報として格納する口座情報ファイルが設けられている。
【０１１８】
更に、本実施例では、店舗の店長や店員および集配担当者には事前に契約している企業や店舗等を識別するための企業コード、その店舗を識別するための店舗コードおよびＩＤカードの所持者である店長や店員、集配担当者を識別するための従業員コードと入金や出金、締め、補充等の処理の有資格者であることを識別するためのＩＤカードコード等のＩＤカード情報を記録したＩＤカードが支給されている。
【０１１９】
現金管理装置１を利用する店舗は、釣銭のための預託金を統括管理会社に預ける一方、釣銭として使用する釣銭金種（本実施例では５千円、２千円、千円の紙幣および５００円、１００円、５０円、１０円、５円、１円の硬貨）を設定し、その店舗の業態や日付、曜日、時間帯および売場の商品構成等を考慮して開店前に各レジスタ２にセットする釣銭準備金の金種毎の枚数を複数の出金パターンにして設定し、これを現金管理装置１の記憶部１２に記憶させて登録する。
【０１２０】
また、その店舗の売上げの規模やレジスタ２の台数、釣銭収納庫への定期的な補充間隔、近隣のイベントの開催等の外部要因による釣銭準備金の一時的な増加等を考慮して釣銭金種毎に紙幣釣銭収納庫２４および硬貨釣銭収納庫３５に標準的に収納するその金種の上限額である保管基準額を設定し、これを記憶部１２に記憶させて登録する。
そして、店舗に現金管理装置１が設置された時に、紙幣釣銭収納庫２４や硬貨釣銭収納庫３５には統括管理会社が預託金の中から供給した釣銭金種毎の保管基準額に相当する紙幣や硬貨（釣銭引当金という。）充填されており、紙幣金庫２５や硬貨金庫３７は空の状態になっている。
【０１２１】
このようにして紙幣釣銭収納庫２４および硬貨釣銭収納庫３５に保管基準額の紙幣や硬貨が充填された現金管理装置１による開店前の釣銭準備金の出金処理の作動について、図１２に示すフローチャートを用い、ＳＥで示すステップに従って説明する。
ＳＥ１、開店前に釣銭を準備する店員は、レジスタ２の入力部２０５の操作キーから出金処理を選択してその操作キーを押下する。
【０１２２】
ＳＥ２、これを検知したレジスタ２の主制御部２０１は、表示部２０３にＩＤカードの挿入を促す旨の文言を表示し、店員が支給されているＩＤカードをレジスタ２のカードリーダ２０４に挿入すると、主制御部２０１はこれを検知してＩＤカードを受付け、カードリーダ２０４によりＩＤカードに記録されているＩＤカード情報を読取る。
ＳＥ３、ＩＤカード情報を読取った主制御部２０１は、ＩＤカードの正当性を判定し、ＩＤカードが正当である場合は読取ったＩＤカードコードによりその店員が釣銭準備金の出金を許可されている有資格者であることを判定してステップＳＥ４へ移行する。
【０１２３】
ＩＤカードが正当でない、または釣銭準備金出金の有資格者でないと判定した場合は、その旨を表示部２０３に表示して出金処理を終了させる。
ＳＥ４、ＩＤカードが正当である等を判定した主制御部２０１は、表示部２０３に現金管理装置１の記憶部１２に登録されている釣銭準備金の複数の出金パターンや釣銭金種の金種毎の枚数入力欄等を表示した出金内訳入力画面を表示する。
【０１２４】
店員は、釣銭準備金の出金パターンの一つを選択するか、またはテンキーにより金種毎の出金枚数を入力するかして出金内訳を入力する。
ＳＥ５、出金パターンまたは金種毎の枚数入力により出金すべき金種とその枚数を認識した主制御部２０１は、現金管理装置１へ出金を指示する通知を送信する。現金管理装置１の主制御部１１は、その金種に該当する紙幣を紙幣釣銭収納庫２４から指定枚数を計数して繰出し、紙幣入出金口２１へ搬送して集積すると共に、その金種に該当する硬貨を硬貨釣銭収納庫３５から指定枚数を計数して繰出し、硬貨出金口３６へ搬送して集積する。
【０１２５】
ＳＥ６、紙幣や硬貨（これらをまとめていう場合は現金という。）の集積を終えた主制御部１１は、紙幣入出金口２１の紙幣シャッタ２１ａを開放すると共に表示部１３に現金の集積を終えた旨を表示し、店員は紙幣入出金口２１および硬貨出金口３６に集積された現金を取出す。
ＳＥ７、現金の取出しを確認した主制御部１１は、紙幣シャッタ２１ａを閉鎖すると共に出金情報を作成し、これを記憶部１２に記憶させる。
【０１２６】
出金情報は、出金処理が行われた日時、出金処理を実行したことを示す処理コードである出金コード、出金された金種毎の枚数とその合計金額、出金動作のタイムチャートを示す出金ログデータ、現金管理装置１が設置されている建物を示す建物コード、現金管理装置１の現金管理装置号機コードおよびＩＤカードから読取った従業員コードやＩＤカードコードであるＩＤカード出金コード等のＩＤカード情報等により構成される。
【０１２７】
ＳＥ８、レジスタ２の主制御部２０１は、ＩＤカード情報や出金した金種毎の枚数とその合計金額等の実行した出金処理の内容を記載した伝票を伝票印刷部２０６により印刷して発行し、店員はこの伝票を受取る。
その後、店員は取出した現金をレジスタ２にセットして顧客の来店を待って待機する。
ＳＥ９、現金管理装置１の主制御部１１は、紙幣釣銭収納庫２４および硬貨釣銭収納庫３５の残量を金種別に確認し、少なくとも一つの金種の残量がニアエンド基準値以下の場合は釣銭収納庫への補充が必要と判定してステップＳＥ１０へ移行する。全ての金種がニアエンド基準値を超えている場合は出金処理を終了させる。
【０１２８】
ＳＥ１０、釣銭収納庫への補充が必要と判定した主制御部１１はニアエンド情報を作成してレジスタ２へ送信し、レジスタ２の主制御部２０１はニアエンド情報を表示部２０３に表示して出金処理を終了させる。
ニアエンド情報は、補充の必要性を判定した日時、釣銭のニアエンドを示す処理コードであるニアエンドコード、現金の金種毎の残枚数、建物コードおよび現金管理装置号機コード等により構成される。
【０１２９】
上記の釣銭準備金の出金処理後に営業を開始した店舗において、不測の事態等により営業の途中でレジスタ２の釣銭が不足したときは、その店員は現金管理装置１により現金を出金（途中出金という。）し、不足した釣銭を補給する。
この場合に店員は、上記のステップＳＥ４において補給する金種の枚数を入力するようにして出金処理を行う。その他の作動は上記出金処理の作動と同様であるのでその説明を省略する。
【０１３０】
営業の途中でレジスタ２に収納された売上金が多くなり、レジスタ２の現金が多量になった場合、店員は現金取扱の効率化や防犯のためにレジスタ２の過剰な現金を現金管理装置１へ入金（途中入金という。）する。
また、店舗の閉店後に店員は締め作業を行う。この時レジスタ２からはその日の売上高が出力され、店員はレジスタ２に収納されている現金（売上金と釣銭準備金が混在している。）を取出し、これを現金管理装置１へ入金（締め入金という。）する。
【０１３１】
以下に、図１３に示すフローチャートを用い、ＳＦで示すステップに従って第３の実施例における現金管理装置１による途中入金および締め入金の入金処理の作動について説明する。
ＳＦ１、入金を行う店員は、入力部２０５の操作キーから入金処理を選択してその操作キーを押下する。
【０１３２】
ＳＦ２、これを検知したレジスタ２の主制御部２０１は、上記出金処理のステップＳＥ２と同様にしてＩＤカードの挿入を促し、店員がＩＤカードをカードリーダ２０４に挿入すると、これを受付けてＩＤカード情報を読取る。
ＳＦ３、ＩＤカード情報を読取った主制御部２０１は、上記出金処理のステップＳＥ３と同様にしてＩＤカードの正当性を判定し、ＩＤカードが正当である場合はＩＤカードコードにより入金を許可されている有資格者であることを判定してステップＳＦ４へ移行する。ＩＤカードが正当でない、または入金の有資格者でないと判定した場合は、その旨を表示部２０３に表示して入金処理を終了させる。
【０１３３】
ＳＦ４、ＩＤカードが正当である等を判定した主制御部２０１は、表示部２０３に現金の投入を促す旨の文言を表示すると共に、現金管理装置１へ入金処理の実行を指示する通知を送信する。現金管理装置１の主制御部１１は紙幣入出金口２１の紙幣シャッタ２１ａおよび硬貨入金口３１の硬貨シャッタ３１ａを開放して店員からの現金の投入を受付ける。
【０１３４】
店員は、持参した途中入金または締め入金のための現金を紙幣と硬貨に区別して紙幣入出金口２１と硬貨入金口３１へ投入する。
ＳＦ５、現金の投入を検知した主制御部１１は、紙幣シャッタ２１ａおよび硬貨シャッタ３１ａを閉鎖して投入された現金の計数を行う。
すなわち、主制御部１１は、紙幣入出金口２１へ投入された紙幣を紙幣鑑別部２２へ搬送し、その紙幣の真偽、金種等を鑑別して金種毎に計数し、鑑別された紙幣を紙幣一時保留部２３へ搬送して一時保管する。この時偽券等の不良紙幣と鑑別された紙幣は紙幣入出金口２１へ搬送されて店員に返却される。
【０１３５】
また、硬貨入出金口３１へ投入された硬貨を硬貨鑑別部３２へ搬送し、その硬貨の真偽、金種等を鑑別して金種毎に計数し、鑑別された硬貨を硬貨一時保留部３４へ搬送して金種別に一時保管する。この時偽硬貨等の不良硬貨と鑑別された硬貨は硬貨リジェクト口３３へ搬送されて店員に返却される。
なお、途中入金のように主に１万円札等の紙幣のみが投入された場合は、主制御部１１は所定の時間経過後に硬貨シャッタ３１ａを閉鎖し、硬貨の計数を省略する。
【０１３６】
ＳＦ６、現金の計数を終えた主制御部１１は、その旨をレジスタ２へ通知する。レジスタ２の主制御部２０１は表示部２０３に金種毎の計数結果とその確認を促す旨の文言を表示した計数結果確認画面を表示する。
店員は、表示された計数結果が正しいと判断した場合は入力部２０５の操作キーによって「ＹＥＳ」を押下する。これを検知した主制御部２０１は計数結果が確定されたと認識してステップＳＦ８へ移行する。
【０１３７】
店員が表示された計数結果と持参した現金とが一致しないと判断した場合は入力部２０５の操作キーによって「ＮＯ」を押下する。これを検知した主制御部２０１はこれを返却要求と認識してステップＳＦ７へ移行する。
ＳＦ７、返却要求を認識した主制御部２０１は、現金管理装置１へその旨を通知する。現金管理装置１の主制御部１１は、紙幣一時保留部２３に一時保管した紙幣を紙幣入出金口２１へ、硬貨一時保留部３４に一時保管した硬貨を硬貨出金口３６へ搬送して投入された現金を店員に返却し、店員の受取りを確認して入金処理を終了する。その後店員は返却された現金を確認して再度入金処理を実行する。
【０１３８】
ＳＦ８、計数結果が確定されたことを認識した主制御部２０１は、表示部２０３に売上高の入力を促す旨の文言およびその入力欄を表示した売上高入力画面を表示して店員に売上高の入力を促し、店員はレジスタ２から出力された売上高を参照して入力部２０５のテンキーにより売上高を入力する。これにより主制御部２０１は売上高を認識し、これを記憶部に記憶させステップＳＦ９へ移行する。
【０１３９】
なお、途中入金の入金処理においては入力すべき売上高がないので店員は操作キーによって「ＮＯ」を押下する。これにより主制御部２０１は売上高を「０」と認識し、入力を省略してステップＳＦ９へ移行する。
ＳＦ９、主制御部２０１は入力された売上高（途中入金の場合は「０」）により売上高情報を作成すると共に入金情報を作成し、これらを現金管理装置１へ送信する。現金管理装置１は受信した入金情報を記憶部１２に記憶させる。
【０１４０】
入金情報は、入金処理が行われた日時、入金処理を実行したことを示す処理コードである入金コード、入金された金種毎の枚数とその合計金額、入金動作のタイムチャートを示す入金ログデータ、建物コード、現金管理装置号機コードおよびＩＤカード情報等により構成される。
ＳＦ１０、入金情報等の送信を終えた主制御部２０１は、ＩＤカード情報や入金された金種毎の枚数とその合計金額等の実行した入金処理の内容を記載した伝票を伝票印刷部２０６により印刷して発行し、店員はこの伝票を受取って入金操作を終了する。
【０１４１】
ＳＦ１１、現金管理装置１の主制御部１１は、一時保留部に一時保留されている現金を釣銭収納庫へ収納する。
すなわち、主制御部１１は、紙幣一時保留部２３に一時保留されている紙幣を紙幣鑑別部２２へ再度搬送し、その紙幣の金種等を鑑別して金種毎に計数し、鑑別した紙幣が釣銭金種以外の紙幣（本実施例では１万円札が該当する。）の場合は紙幣金庫２５へ搬送して金種別に収納し、鑑別された紙幣が釣銭金種の場合は紙幣釣銭収納庫２４へ搬送して金種別に収納、すなわち高額の金種の紙幣を優先的に紙幣金庫２５へ搬送して金種別に収納する。
【０１４２】
また、硬貨一時保留部３４に金種別に一時保留されているすべての硬貨を硬貨一時保留部３４からそれぞれの金種の硬貨釣銭収納庫３５へ放出して金種別に収納する。
ＳＦ１２、現金を釣銭収納庫に収納した主制御部１１は、紙幣釣銭収納庫２４および硬貨釣銭収納庫３５の収納量を金種別に確認して記憶部１２に登録されている釣銭金種毎の保管基準額と比較し、保管基準額を超えている金種の紙幣、つまり余剰金の紙幣を紙幣金庫２５へ搬送して金種別に収納する。
【０１４３】
また、保管基準額を超えている金種の硬貨については、その保管基準額を超えている金額に相当する紙幣（金額が一致しない場合はその金額を超えない額に相当する紙幣、例えば保管基準額を超えている金種の硬貨の合計額が１２００円である場合は千円札を１枚）を紙幣金庫２５へ搬送して金種別に収納する。つまり余剰金の硬貨に相当する金額を硬貨に替えて紙幣で紙幣金庫２５へ搬送して金種別に収納する。
【０１４４】
このとき、高額の金種の紙幣を優先して紙幣金庫２５へ搬送して金種別に収納するものとする。
ＳＦ１３、余剰金の現金金庫への収納を終えた主制御部１１は、繰越金の金額を算出して記憶部１２に記憶させる。
ここで、繰越金とは、余剰金の硬貨に相当する金額のうち、硬貨に替えて紙幣で紙幣金庫２５へ搬送して金種別に収納することができなかった硬貨をいう。例えば、保管基準額を超えている金種の硬貨の合計額が１２００円である場合、紙幣に替えることができない２００円が繰越金となる。
【０１４５】
なお、繰越金の金額は、入金処理毎に記憶部１２に記憶されるものとする。
ＳＦ１４、繰越金額を記憶部１２に記憶させた主制御部１１は、紙幣金庫２５および硬貨金庫３７の収納量を確認し、少なくとも一つの金種の収納量がニアフル基準値を超えている場合は現金の回収が必要と判定してステップＳＡ１５へ移行する。全ての金種がニアフル基準値以下の場合は入金処理を終了させる。
【０１４６】
ＳＦ１５、現金金庫の現金の回収が必要と判定した主制御部１１はニアフル情報を作成してレジスタ２へ送信し、レジスタ２の主制御部２０１はニアフル情報を表示部２０３に表示して入金処理を終了させる。
ニアフル情報は、回収の必要性を判定した日時、現金のニアフルを示す処理コードであるニアフルコード、現金の金種毎の収納枚数、建物コードおよび現金管理装置号機コード等により構成される。
【０１４７】
なお、紙幣金庫２５へ収納する紙幣は、紙幣金庫２５に金種を混在させて収納するようにしてもよい。これにより紙幣金庫２５の構造の簡素化を図ることができると共に紙幣金庫２５の収納量を増加させることができ、後述する現金の回収の周期を長く設定することができる。
このように、原則として釣銭収納庫にはレジスタ２から回収された釣銭金種の紙幣や硬貨が循環使用されて保管基準額に相当する金額の紙幣および硬貨が収納され、現金金庫には売上金に相当する紙幣が収納され、全てのレジスタ２の締め入金の終了後には現金管理装置１の釣銭収納庫と現金金庫に収納されている現金は、常に当初の釣銭引当金と売上金の総額となる。
【０１４８】
ところで、締め入金においてレジスタ２から回収される現金の総額は当初の釣銭準備金とそのレジスタ２の売上金（途中入金、途中出金が行われた場合はその額を増減した額）で構成されるが、釣銭準備金として出金された金種は商品代金を精算する時にさまざまに変化し、閉店後にはその金種別内訳が変ってしまうのが常である。
従って、締め入金の終了後に現金管理装置１の釣銭収納庫に収納されている現金は、例えば１００円硬貨や１０円硬貨、１円硬貨といった釣銭としてよく使用されるが商品代金として支払われることが少ない金種の場合は、釣銭収納庫のその金種は不足した状態で収納されている。
【０１４９】
このとき、釣銭収納庫の不足分に相当する金額、つまり釣銭準備金として出金された現金の中で現金金庫に収納された金額は他の金種、例えば１万円札や千円札に加えられて現金金庫に収納されている。
以下に、図１４のフローチャートを用い、ＳＧで示すステップに従って第３の実施例における現金管理装置１による締め処理の作動について説明する。
【０１５０】
ＳＧ１、全てのレジスタ２の締め入金の入金処理の終了後に店舗の責任者、例えば店長は、入力部２０５の操作キーから締め処理を選択してその操作キーを押下する。
ＳＧ２、これを検知したレジスタ２の主制御部２０１は、上記第１の実施例の出金処理のステップＳ２と同様にしてＩＤカードの挿入を促し、店長がＩＤカードをカードリーダ１４に挿入すると、主制御部２０１はこれを受付けてＩＤカード情報を読取る。
【０１５１】
ＳＧ３、ＩＤカード情報を読取った主制御部２０１は、上記第１の実施例の出出金処理のステップＳ３と同様にしてＩＤカードの正当性を判定し、ＩＤカードが正当である場合はＩＤカードコードにより締め処理を許可されている有資格者であることを判定してステップＳＧ４へ移行する。ＩＤカードが正当でない、または締め処理の有資格者でないと判定した場合は、その旨を表示部２０３に表示して締め処理を終了させる。
【０１５２】
ＳＧ４、ＩＤカードが正当である等を判定した主制御部２０１は、締め処理の実行を指示する通知を現金管理装置１へ送信する。現金管理装置１の主制御部１１は入金処理のステップＳＦ１３で記憶部１２に記憶させておいた繰越金の金額を集計し、前回締め処理から今回締め処理までに行われた入金処理で算出された繰越金の累計金額を算出する。
ＳＧ５、繰越金の累計金額を算出した主制御部１１は、その繰越金の累計金額のうち紙幣に換えることができる金額に相当する紙幣（例えば累計金額が２，３００円の場合、２，０００円に相当する千円札２枚）を紙幣釣銭収納庫２４から紙幣金庫２５へ移動する。
【０１５３】
ＳＧ６、紙幣を移動した主制御部１１は、締め情報および繰越金情報を作成し、これを記憶部１２に記憶させる。
締め情報は、締め処理が行われた日時、締め処理を実行したことを示す処理コードである締めコード、締め動作のタイムチャートを示す締めログデータ、建物コード、現金管理装置号機コードおよびＩＤカード情報等により構成される。
【０１５４】
繰越金情報は、前回締め処理から今回締め処理までに行われた入金処理で算出された繰越金の累計金額から紙幣に換えた金額を減算した締め処理後の繰越金額により構成される。
主制御部１１は、前回の締め処理から今回の締め処理までの間の店舗における現金の移動を集計し、これを現金移動情報とする。
【０１５５】
ＳＧ７、現金管理装置１の主制御部１１（締め処理後売上高算出手段）は、現金移動情報を基に前回の締め処理から今回の締め処理までの間の店舗の売上高の合計金額、紙幣に換えた金額、締め処理後の繰越金額、売上高の合計額から締め処理後の繰越金額を減算した締め処理後の売上高、入金された金種毎の枚数や従業員コード等をレジスタ２へ送信し、レジスタ２の主制御部２０１は表示部２０３に表示し、店長は表示された内容を確認して入力部２０５の操作キーによって「ＹＥＳ」を押下する。
【０１５６】
これを検知した主制御部２０１は、締め処理後の売上高等が確認されたことを認識する。
ＳＧ８、主制御部２０１は、現金管理装置１から受信した現金移動情報、締め処理後の売上高等や締め処理を行った店長のＩＤカード情報等を記載した伝票を伝票印刷部２０６により印刷して発行し、店長が伝票を受取ったことを確認して締め処理を終了させる。
【０１５７】
ここで、統括管理会社は地域管理センタによって上記のニアフル情報やニアエンド情報による突発的な回収や補充の他に、現金管理装置１の現金の回収や補充を定期的に行っている。
現金管理装置１の現金の回収や補充を定期的に行う場合は、地域管理センタから集配担当者が集配車９によって現金の回収後に装着する空の紙幣金庫カセットや硬貨金庫カセットおよび補充のための現金とを持参して該当する店舗を巡回し、以下のように行う。
【０１５８】
現金管理装置１の現金を回収する場合は、集配担当者はレジスタ２の入力部２０５の操作キーから回収処理を選択してその操作キーを押下し、これを検知した主制御部２０１は上記出金処理のステップＳＥ２と同様にしてＩＤカードの挿入を促し、集配担当者が持参したＩＤカードをカードリーダ２０４に挿入すると、これを受付けてＩＤカード情報を読取り、上記出金処理のステップＳＥ３と同様にしてＩＤカードが正当であり、ＩＤカードコードにより回収を許可されている有資格者であること確認する。
【０１５９】
ＩＤカードの正当性等を確認した主制御部２０１は、回収を指示する通知を現金管理装置１へ送信し、現金管理装置１の主制御部１１は、紙幣釣銭収納庫２４の紙幣を紙幣金庫２５に搬送して収納し、その後に電子錠等を開錠して回収扉３８を開錠可能とする。
集配担当者は所持する鍵等で回収扉を開錠し、紙幣金庫２５に装着されている紙幣金庫カセットを取出し、持参した空の紙幣金庫カセットを装着して回収扉３８を施錠する。
【０１６０】
これを検知した主制御部１１は、回収扉３８の電子錠等を施錠し、上記出金処理のステップＳＥ８と同様にして回収処理内容を伝票に印刷して発行し、集配担当者の受取を確認して回収処理を終了させる。
この回収処理で回収できる現金は紙幣だけであるので、それぞれの入金処理で発生した繰越金は硬貨釣銭収納庫３５に収納されたままとなっている。
【０１６１】
なお、本実施例では、上記の回収処理は締め処理の直後に行われるものとするが、回収処理において締め処理を行うようにしてもよい。
また、回収処理においては、紙幣金庫カセットと紙幣釣銭収納庫２４を別に設けた場合について説明したが、これらを統合して紙幣金庫カセットと兼用にするようにしてもよい。これにより回収処理の効率化を図ることができると共に現金管理装置１の簡素化を図ることができる。
【０１６２】
このようにして空になった紙幣釣銭収納庫２４、および保管基準額に達していない硬貨釣銭収納庫３５に現金を補充する場合は、集配担当者は入力部２０５の操作キーから補充処理を選択してその操作キーを押下し、上記と同様にして主制御部２０１がＩＤカードの正当性等を確認した後に、現金管理装置１の主制御部１１は上記入金処理のステップＳＦ４と同様にして現金入金口を開放し、集配担当者は持参した補充のための現金を現金入金口へ投入する。
【０１６３】
その後、上記入金処理のステップＳＦ５と同様にして現金が計数されてその計数結果が表示され、計数結果が集配担当者により確定されると主制御部１１は入金処理のステップＳＦ１１と同様にして一時保留部に一時保留されている現金を釣銭収納庫へ収納し、上記出金処理のステップＳＥ８と同様にして補充処理内容を伝票に印刷して発行し、集配担当者の受取りを確認して補充処理を終了させる。
【０１６４】
ここで、売上高、繰越金、締め処理後の売上高、回収処理で回収された回収金額の関係を図１５に基づいて説明する。
図１５において、１日目の売上高が１６，６００円、繰越金が６００円である場合、売上高から繰越金を除いた金額の１６，０００円が締め処理後の売上高となり、この金額の紙幣を統括管理会社は回収処理により回収する。また、繰越金６００円がそのまま締め処理後の繰越金となる。
【０１６５】
次に、２日目の売上高が２１，６００円、繰越金が６００円である場合、前日の締め処理後の繰越金と２日目繰越金を合算した累計繰越金が１，２００円となり、そのうち１，０００円分の硬貨が紙幣と交換され、締め処理後の売上高は2日目の売上高から繰越金を減じた金額に紙幣交換金額を加算して２２，０００円、繰越金は累積繰越金から紙幣交換金額を減じて２００円となる。統括管理会社は締め処理後の売上高と同額の２２，０００円の紙幣を回収処理により回収する。
【０１６６】
同様に、３日目の売上高が１４，６００円、繰越金が６００円である場合、２日目の締め処理後の繰越金と３日目の繰越金を合算した累計繰越金が８００円となるが、これは紙幣と交換できないので、そのまま締め処理後の繰越金となる。締め処理後の売上高は、売上高から繰越金を除いた金額の１４，０００円となり、この金額が統括管理会社によって回収される。
【０１６７】
４日目の売上高が１６，６００円、繰越金が６００円である場合、３日目の締め処理後の繰越金８００円と４日目の繰越金を合算した累計繰越金が１，４００円となり、そのうち１，０００円分の硬貨が紙幣と交換され、締め処理後の売上高は4日目の売上高から繰越金を減じた金額に紙幣交換金額を加算して１７，０００円、繰越金は累積繰越金から紙幣交換金額を減じて４００円となる。統括管理会社は締め処理後の売上高と同額の１７，０００円の紙幣を回収処理により回収する。
【０１６８】
上記の例では、毎日統括管理会社が売上金の回収処理を行う場合について説明したが、現金管理装置が統括管理会社のセンタに接続されていないオフラインの現金管理システムの場合、店舗の１日当りの売上高が小さく、売上金の回収が数日間に１回の割合で行なわれる場合が多い。以下に、４日に一回の割合で売上金を回収する場合の、売上高、繰越金、締め処理で繰越金を紙幣に交換した金額(紙幣交換金額)、締め処理後の繰越金、回収処理で回収された回収金額の関係を図１６に基づいて説明する。
【０１６９】
図１６において、１日目の入金処理で売上高が１６，０００円、繰越金が６００円、２日目の入金処理で売上高が２１，６００円、繰越金が６００円、３日目の入金処理で売上高が１４，６００円、繰越金が６００円、４日目の入金処理で売上高が１６，６００円、繰越金が６００円である場合、４日目の入金処理後の締め処理で繰越金の累計は２，４００円になり、そのうちの２，０００円に相当する紙幣が紙幣釣銭収納庫２４から紙幣金庫２５へ移動、つまり２，０００分(紙幣交換金額)の硬貨が紙幣に交換される。
【０１７０】
したがって、締め処理後の繰越金は、繰越金の累計２，４００円から紙幣交換金額２，０００円を減算した４００円、締め処理後の売上高は、１日目から４日目の売上高の合計である６９，４００円から締め処理後の繰越金である４００円を減算した６９，０００円となり、回収処理では締め処理後の売上高と同額の６９，０００円の紙幣が回収される。
また、５日目の入金処理で売上高が１７，５００円、繰越金が５００円、６日目の入金処理で売上高が２２，７００円、繰越金が７００円、７日目の入金処理で売上高が１２，３００円、繰越金が３００円、８日目の入金処理で売上高が２１，４００円、繰越金が４００円である場合、８日目の入金処理後の締め処理で繰越金の累計は２，３００円(４日目の締め処理後の繰越金および５日目から８日目までの繰越金の累計)になり、そのうちの２，０００円に相当する紙幣が紙幣釣銭収納庫２４から紙幣金庫２５へ移動、つまり２，０００円分(紙幣交換金額)の硬貨が紙幣に交換される。
【０１７１】
したがって、締め処理後の繰越金は、繰越金の累計２，３００円から紙幣交換金額２，０００円を減算した３００円、締め処理後の売上高は、５日目から８日目の売上高の合計である７３，９００円に４日目の繰越処理後の繰越金４００円を加算した７４，３００円から８日目の締め処理後の繰越金である３００円を減算した７４，０００円になり、回収処理では締め処理後の売上高と同額の７４，０００円の紙幣が回収される。
【０１７２】
なお、ニアフル情報による回収は、上記の回収処理と同様であるが、回収する現金はニアフルとなった金種またはその金種を含む現金金庫カセットのみを回収するようにする。
また、ニアエンド情報による補充は、上記の補充処理と同様であるが、補充する現金はニアエンドとなった金種のみを補充するようにする。
更に、店舗が設定した釣銭金種の保管基準額の変更は、店舗の要請によって行うことが可能であり、当初の預託金の額を変更して保管基準額の増額または減額を受付けるようにする。
【０１７３】
また、上記の回収処理により回収された現金は、集配車により地域管理センタへ輸送され、統括管理会社の係員は、図示しないセンタの地域端末を操作し、中央情報処理装置を介して回収された現金に一致する締め処理後の繰越金を含まない締め処理後の売上高を売上金として銀行の所定の売上金口座に振り込むようにする。
さらに、第１の実施例においても本実施例と同様に現金管理装置１は中央情報処理装置等に通信回線で接続されていないオフラインの構成とし、また現金管理装置１は上位装置としてのレジスタ２との間で通信可能に接続されレジスタ２からの指示を受信して入金処理や出金処理、締め処理、補充処理、回収処理等を行うように構成してもよい。
【０１７４】
以上説明したように、第３の実施例では、統括管理会社のセンタに接続されていないオフラインの現金管理装置においても第１の実施例および第２の実施例と同様な効果が得られる。
また、統括管理会社は繰越金を立て替える必要がないという効果が得られる。
【図面の簡単な説明】
【０１７５】
【図１】第１の実施例における現金管理装置の構成を示すブロック図
【図２】第１の実施例における現金管理システムの構成を示す説明図
【図３】第１の実施例における現金管理装置の外観を示す斜視図
【図４】第１の実施例における出金処理を示すフローチャート
【図５】第１の実施例における入金処理を示すフローチャート
【図６】第１の実施例における締め処理を示すフローチャート
【図７】第１の実施例における中央情報処理装置の業務処理を示すフローチャート
【図８】第１の実施例における売上金、繰越金、累積立替金の関係を示す説明図
【図９】第２の実施例における締め処理を示すフローチャート
【図１０】第２の実施例における売上金、繰越金、締め処理後繰越金の関係を示す説明図
【図１１】第３の実施例における現金管理装置の構成を示すブロック図
【図１２】第３の実施例における出金処理を示すフローチャート
【図１３】第３の実施例における入金処理を示すフローチャート
【図１４】第３の実施例における締め処理を示すフローチャート
【図１５】第３の実施例における売上金、繰越金、締め処理後売上金の関係を示す説明図(毎日売上金回収の場合)
【図１６】第３の実施例における売上金、繰越金、締め処理後売上金の関係を示す説明図(４日に一度売上金回収の場合)
【符号の説明】
【０１７６】
１    現金管理装置
２    レジスタ
３    管理端末
４    監視センサ
５    通信回線
６    中央情報処理装置
６ａ  企業情報データベース
７    警備情報処理装置
８    銀行
９    集配車
１０  地域端末
１１  主制御部
１２  記憶部
１３  表示部
１４  カードリーダ
１５  入力部
１５ａ  操作キー
１５ｂ  テンキー
１６  伝票印刷部
２０  紙幣取扱部
２１  紙幣入出金口
２１ａ  紙幣シャッタ
２２  紙幣鑑別部
２３  紙幣一時保留部
２４  紙幣釣銭収納庫
２５  紙幣金庫
３０  硬貨取扱部
３１  硬貨入金口
３１ａ  硬貨シャッタ
３２  硬貨鑑別部
３３  硬貨リジェクト口
３４  硬貨一時保留部
３５  硬貨釣銭収納庫
３６  硬貨出金口
３８  回収扉
【図１】
2008287552.tif 000003
【図２】
2008287552.tif 000004
【図３】
2008287552.tif 000005
【図４】
2008287552.tif 000006
【図５】
2008287552.tif 000007
【図６】
2008287552.tif 000008
【図７】
2008287552.tif 000009
【図８】
2008287552.tif 000010
【図９】
2008287552.tif 000011
【図１０】
2008287552.tif 000012
【図１１】
2008287552.tif 000013
【図１２】
2008287552.tif 000014
【図１３】
2008287552.tif 000015
【図１４】
2008287552.tif 000016
【図１５】
2008287552.tif 000017
【図１６】
2008287552.tif 000018